(57)【要約】【課題】生産性に優れ、安価でありながら、コンプレッサの性能を十分に確保することができる過給機用のコンプレッサハウジングを提供すること。【解決手段】コンプレッサハウジング１は、吸気口１１を形成する筒状の吸気口形成部２１と、シュラウド面２２１及びディフューザ面２２２を形成するシュラウド部２２と、ディフューザ面２２２に対向配置されるバックプレート４との間にスクロール室１２を形成するスクロール室形成部２３とを有するハウジング本体部２と、スクロール室形成部２３内に挿入配置され、スクロール室形成部２３とバックプレート４とに挟持された状態で両者の間にスクロール室１２における外周側内壁面１２１ａの一部を形成する環状のスペーサ部３とを備えている。【選択図】図１
2014058888.tif 000002
【特許請求の範囲】
【請求項１】
複数のブレードを有する過給機用のインペラを収容可能に構成されていると共に、上記インペラに向けて空気を吸い込む吸気口と、上記インペラの外周側において周方向に形成され、上記インペラから吐き出された空気を外部へ導くスクロール室とを備えた過給機用のコンプレッサハウジングにおいて、
上記吸気口を形成する筒状の吸気口形成部と、上記インペラに対向するシュラウド面及び該シュラウド面から上記スクロール室に向かって延びるディフューザ面を形成するシュラウド部と、上記ディフューザ面に対向配置されるバックプレートとの間に上記スクロール室を形成するスクロール室形成部とを有するハウジング本体部と、
該ハウジング本体部の上記スクロール室形成部内に挿入配置され、該スクロール室形成部と上記バックプレートとに挟持された状態で両者の間に上記スクロール室における外周側の内壁面の一部を形成する環状のスペーサ部とを備えていることを特徴とする過給機用のコンプレッサハウジング。
【請求項２】
請求項１に記載のコンプレッサハウジングにおいて、上記ハウジング本体部は、上記吸気口形成部、上記シュラウド部及び上記スクロール室形成部を一体的に成形した一部品で構成されていることを特徴とする過給機用のコンプレッサハウジング。
【請求項３】
請求項１又は２に記載のコンプレッサハウジングにおいて、上記スペーサ部は、上記バックプレートに押圧された状態で、上記ハウジング本体部の上記スクロール室形成部に当接しており、かつ、上記ハウジング本体部の上記スクロール室形成部よりも剛性が低いことを特徴とする過給機用コンプレッサハウジング。
【請求項４】
請求項３に記載のコンプレッサハウジングにおいて、上記スペーサ部は、樹脂からなることを特徴とする過給機用のコンプレッサハウジング。
【請求項５】
請求項１〜４のいずれか１項に記載のコンプレッサハウジングにおいて、上記スペーサ部における上記スクロール室の上記外部出口近傍部分には、該外部出口の方向に沿って切り込まれるように形成したスリット部が設けられていることを特徴とする過給機用コンプレッサハウジング。
【請求項６】
請求項１〜５のいずれか１項に記載のコンプレッサハウジングにおいて、上記スペーサ部には、周方向位置を決定するためのスペーサ位置決め部が設けられており、該スペーサ位置決め部は、上記ハウジング本体部の上記スクロール室形成部の内壁面に設けられた係合部に係合していることを特徴とする過給機用のコンプレッサハウジング。
【発明の詳細な説明】
【技術分野】
【０００１】
本発明は、複数のブレードを有するインペラを収容可能に構成された過給機用のコンプレッサハウジングに関する。
【背景技術】
【０００２】
自動車のターボチャージャー等の過給機に用いられるコンプレッサ（圧縮機）は、複数のブレードを有するインペラを収容可能に構成されたコンプレッサハウジングを有する。
コンプレッサハウジングは、インペラに向けて空気を吸い込む吸気口、インペラの外周側において周方向に形成され、インペラから吐き出された空気を外部へ導くスクロール室等を備えている。
【０００３】
コンプレッサハウジングを製造する方法としては、例えば、重力鋳造により成形する方法がある。この場合には、いわゆる中子を用いて鋳造を行うことができるため、形状自由度が高く、複雑な形状にも対応することができる。しかしながら、鋳造サイクルが長いため生産性が悪く、コストも高い。
そこで、コンプレッサハウジングをダイキャストにより成形する方法がある（特許文献１参照）。この場合には、重力鋳造に比べて鋳造サイクルが短いため生産性が良く、コストも安い。そのため、重力鋳造に比べて安価な製品を提供することができる。
【先行技術文献】
【特許文献】
【０００４】
【特許文献１】特開２００１−２３４７５３号公報
【発明の概要】
【発明が解決しようとする課題】
【０００５】
しかしながら、コンプレッサハウジングをダイキャストにより成形する場合、型抜き可能な形状でなければ成形することができないため、形状自由度が低く、複雑な形状に対応することが困難である。特に、コンプレッサの性能向上を目的として、スクロール室内の空気の流れを良くするためにスクロール室の壁面の形状をインペラの回転中心軸に対して非対称形状とした場合には、上記の問題が顕著となる。
【０００６】
例えば、図７に示すごとく、コンプレッサハウジング９１をダイキャストにより単純に型抜き可能な範囲で成形した場合には、インペラ９５の回転中心軸ｘに対して非対称形状であるスクロール室９１２の外周側の壁面９１３がスクロール室９１２に導入される空気ａ１の流れ方向に対して略垂直な方向に形成される。そのため、スクロール室９１２に導入された空気をスムーズにスクロール室９１２内に流すことができず、コンプレッサの性能低下を招いてしまう。
【０００７】
また、図８に示すごとく、コンプレッサハウジング９１をダイキャストにより型抜き可能な範囲で成形し、スクロール室９１２の外周側の壁面９１３の一部を形成する壁面形成部９４１をバックプレート９４に設ける構成も考えられる。この場合、バックプレート９４に設ける壁面形成部９４１の形状は、スクロール室９１２と同様にインペラ９５の回転中心軸ｘに対して非対称形状である。そのため、旋盤等の簡易な加工方法を用いてバックプレート９４に加工を施し、非対称形状の壁面形成部９４１を形成することが困難である。また、他の加工方法を用いて非対称形状の壁面形成部９４１を形成した場合には、全体として生産性が悪くなり、コストも高くなってしまう。
【０００８】
また、同図に示すごとく、壁面形成部９４１を有するバックプレート９４を一体的に成形し、バックプレート９４への加工をなくす方法も考えられるが、この場合には、寸法精度や表面粗さ等の問題が生じる。例えば、コンプレッサハウジング９１とバックプレート９４との間に隙間ｃが形成されると、スクロール室９１２に導入された空気ａ１の流れが悪くなり、コンプレッサの性能低下を招いてしまう。
【０００９】
また、上述したこれらの問題は、図７、図８のようにコンプレッサハウジングを一部品で構成した場合であっても、上記特許文献１に開示されているようにコンプレッサハウジングを複数の部品で構成した場合であっても生じる問題である。しかしながら、未だに好適な解決手段が見出されていない。
【００１０】
本発明は、かかる背景に鑑みてなされたもので、生産性に優れ、安価でありながら、コンプレッサの性能を十分に確保することができる過給機用のコンプレッサハウジングを提供しようとするものである。
【課題を解決するための手段】
【００１１】
本発明の一の態様は、複数のブレードを有する過給機用のインペラを収容可能に構成されていると共に、上記インペラに向けて空気を吸い込む吸気口と、上記インペラの外周側において周方向に形成され、上記インペラから吐き出された空気を外部へ導くスクロール室とを備えた過給機用のコンプレッサハウジングにおいて、
上記吸気口を形成する筒状の吸気口形成部と、上記インペラに対向するシュラウド面及び該シュラウド面から上記スクロール室に向かって延びるディフューザ面を形成するシュラウド部と、上記ディフューザ面に対向配置されるバックプレートとの間に上記スクロール室を形成するスクロール室形成部とを有するハウジング本体部と、
該ハウジング本体部の上記スクロール室形成部内に挿入配置され、該スクロール室形成部と上記バックプレートとに挟持された状態で両者の間に上記スクロール室における外周側の内壁面の一部を形成する環状のスペーサ部とを備えていることを特徴とする過給機用のコンプレッサハウジングにある（請求項１）。
【発明の効果】
【００１２】
上記コンプレッサハウジングは、上記ハウジング本体部の上記スクロール室形成部と上記バックプレートとの間に、上記スクロール室における外周側の内壁面（以下、外周側内壁面という）の一部を形成する上記スペーサ部を備えている。ここで、上記スクロール室の上記外周側内壁面は、上記スクロール室に導入された空気が接触する面であるため、その形状を空気の流れがスムーズになるような形状にする必要がある。しかしながら、上記コンプレッサハウジングでは、上記外周側内壁面の一部を形成する上記スペーサ部が上記ハウジング本体部とも上記バックプレートとも別体の部品であるため、上記外周側内壁面の形状を所望の形状にしやすい。
【００１３】
これにより、上記スペーサ部に上記スクロール室の上記外周側内壁面に接触する空気の流れをスムーズにする形状を容易に形成することができ、上記ハウジング本体部や上記バックプレートに上記のような形状を設ける必要は特になくなる。その結果、上記ハウジング本体部を型抜き可能な形状とし、生産性に優れた安価なダイキャスト等により成形することができるし、上記バックプレートの上記ハウジング本体部側の表面を旋盤等にて容易に加工することもできる。よって、上記コンプレッサハウジング全体を生産性に優れた、安価なものとすることができる。
【００１４】
特に、上記スクロール室は、機能上の観点から、例えば外部出口に向かって上記外周側内壁面がインペラの回転中心軸から徐々に遠ざかるように、かつ断面積が徐々に大きくなるように構成される。すなわち、上記スクロール室の上記外周側内壁面の形状を上記インペラの回転中心軸に対して非対称形状とする。それ故、上記外周側内壁面の一部を上記バックプレートに形成しようとすると旋盤等による加工が困難となる。しかしながら、上記コンプレッサハウジングでは、上記スクロール室が上記のような非対称形状であっても、上記スペーサ部を利用することによってその非対称形状を容易に実現することができる。これにより、コンプレッサの性能を十分に確保することができる。
【００１５】
このように、生産性に優れ、安価でありながら、コンプレッサの性能を十分に確保することができる過給機用のコンプレッサハウジングを提供することができる。
【図面の簡単な説明】
【００１６】
【図１】実施例における、コンプレッサハウジングを有するコンプレッサの構造を示す説明図。
【図２】実施例における、コンプレッサハウジングの構造を示す説明図。
【図３】実施例における、ハウジング本体部内にスペーサ部が挿入配置されている状態を示す説明図。
【図４】実施例における、（ａ）ハウジング本体部の係合部を示す説明図、（ｂ）スペーサ部のスペーサ位置決め部を示す説明図。
【図５】実施例における、ハウジング本体部のスクロール形成部内にスペーサ部を挿入配置する様子を示す説明図。
【図６】実施例における、コンプレッサハウジングにバックプレートを配置する様子を示す説明図。
【図７】背景技術における、コンプレッサハウジングの構造を示す説明図。
【図８】背景技術における、コンプレッサハウジングの構造を示す説明図。
【発明を実施するための形態】
【００１７】
上記コンプレッサハウジングにおいて、上記ハウジング本体部は、上記吸気口形成部、上記シュラウド部及び上記スクロール室形成部を一体的に成形した一部品で構成されていることが好ましい（請求項２）。
この場合には、上記ハウジング本体部を例えば生産性に優れた安価なダイキャスト等の方法を用いて一体的に成形した一部品で構成することにより、上記コンプレッサハウジング全体の部品点数を少なくすることができると共に、より一層の生産性向上、コスト削減を図ることができる。
また、上記一体成形品を型抜き可能な形状とするためには、上記スクロール室形成部を上記バックプレートに向かって拡開する形状とすることとなるため、空気のスムーズな流れを確保するために、上記スペーサ部を採用する必要性はより一層高くなる。
【００１８】
また、上記スペーサ部は、上記バックプレートに押圧された状態で、上記ハウジング本体部の上記スクロール室形成部に当接しており、かつ、上記ハウジング本体部の上記スクロール室形成部よりも剛性が低いことが好ましい（請求項３）。
この場合には、上記スペーサ部が上記ハウジング本体部の上記スクロール室形成部に押し付けられた状態で配置されることにより、両者の間に隙間が形成されることを防止することができる。これにより、上記両者の間に隙間が形成されることによる空気の流れの悪化、それに伴うコンプレッサの性能低下等を防止することができる。
なお、上記スペーサ部の剛性を上記ハウジング本体部の上記スクロール室形成部よりも低くする方法としては、例えば、上記スペーサ部を剛性の低い材料で構成したり、間抜き等で積極的に剛性が低い形状にしたりする方法がある。
【００１９】
また、上記スペーサ部は、上記バックプレートよりも剛性が低いことが好ましい。
この場合には、上記スペーサ部が上記バックプレートによって押圧された状態で配置されることにより、両者の間に隙間が形成されることを防止することができる。これにより、上記両者の間に隙間が形成されることによる空気の流れの悪化、それに伴うコンプレッサの性能低下等を防止することができる。
なお、上記スペーサ部の剛性を上記バックプレートよりも低くする方法としては、上記と同様に、例えば、上記スペーサ部を剛性の低い材料で構成したり、間抜き等で積極的に剛性が低い形状にしたりする方法がある。
【００２０】
また、上記スペーサ部は、樹脂からなることが好ましい（請求項４）。
この場合には、上記スペーサ部を変形させることにより、上記スペーサ部と上記ハウジング本体部の上記スクロール室形成部との間、上記スペーサ部と上記バックプレートとの間に隙間が形成されることをより一層防止することができる。
なお、上記スペーサ部を構成する樹脂としては、例えば、ナイロン６６（登録商標）樹脂等を用いることができる。また、上記スペーサ部を構成する材料としては、樹脂以外にも、ゴムを用いたり、剛性の低い形状であれば金属等を用いたりすることもできる。
【００２１】
また、上記スペーサ部における上記スクロール室の上記外部出口近傍部分には、該外部出口の方向に沿って切り込まれるように形成したスリット部が設けられていることが好ましい（請求項５）。
ここで、上記スペーサ部における上記スクロール室の上記外部出口近傍部分は、薄肉となり、成形性が悪化するという問題がある。そのため、上記スリット部を設けることにより、この問題を解消することができる。
また、上記スペーサ部を例えば樹脂等により構成した場合には、上記スリット部を設けることによって上記スペーサの形状の微調整が可能となり、上記ハウジング本体部への組み付け時において位置合わせを精度良く行うことができると共に、張力を持たせることにより脱落等を防止することができる。また、上記スリット部によって熱応力、組み付け応力等を緩和することができ、変形やクリープ等を抑制することができる。
【００２２】
また、上記スペーサ部には、周方向位置を決定するためのスペーサ位置決め部が設けられており、該スペーサ位置決め部は、上記ハウジング本体部の上記スクロール室形成部の内壁面に設けられた係合部に係合していることが好ましい（請求項６）。
この場合には、上記ハウジング本体部の上記スクロール室形成部内に挿入配置された上記スペーサ部を所定の位置に確実に固定することができる。
【実施例】
【００２３】
上記過給機用のコンプレッサハウジングにかかる実施例について、図を用いて説明する。
本例のコンプレッサハウジング１は、図１に示すごとく、自動車のターボチャージャー（過給機）に用いられるコンプレッサ（圧縮機）８の外殻を形成するものであり、複数のブレード５２を有するインペラ５を収容可能に構成されていると共に、インペラ５に向けて空気Ａ１を吸い込む吸気口１１と、インペラ５の外周側において周方向に形成され、インペラ５から吐き出された空気Ａ２を外部へ導くスクロール室１２とを有する。
【００２４】
図１、図２に示すごとく、コンプレッサハウジング１は、インペラ５を内部に収容すると共に吸気口１１やスクロール室１２を形成するハウジング本体部２と、そのハウジング本体部２内に組み付けられた環状のスペーサ部３とにより構成されている。
本例では、ハウジング本体部２は、アルミニウム材料からなる。また、スペーサ部３は、ナイロン６６（登録商標）樹脂からなり、ハウジング本体部２及び後述するバックプレート４よりも剛性が低い。
【００２５】
同図に示すごとく、ハウジング本体部２は、吸気口１１を形成する筒状の吸気口形成部２１と、インペラ５に対向するシュラウド面２２１及びそのシュラウド面２２１からスクロール室１２に向かって延びるディフューザ面２２２を形成するシュラウド部２２と、ディフューザ面２２２に対向配置されるバックプレート４との間にスクロール室１２を形成するスクロール室形成部２３とを有する。
本例では、ハウジング本体部２は、吸気口形成部２１、シュラウド部２２及びスクロール室形成部２３をダイキャストにより一体的に成形した一部品で構成されている。
【００２６】
また、シュラウド部２２内には、吸気口１１と連通する吸気通路２２０が形成されている。また、シュラウド部２２のディフューザ面２２２とバックプレート４のハウジング本体部２側の表面４０１との間には、インペラ５から吐き出された空気Ａ２を昇圧させるディフューザ部１３が形成されている。
なお、バックプレート４は、両面が平坦な面の板状であり、シュラウド部２２のディフューザ面２２２に対向する位置に、コンプレッサハウジング１の吸気側とは反対の側を覆うように配置されている。また、バックプレート４は、アルミニウム材料からなる。
【００２７】
同図に示すごとく、スペーサ部３は、ハウジング本体部２のスクロール室形成部２３内に挿入配置されている。そして、スペーサ部３は、ハウジング本体部２のスクロール室形成部２３とバックプレート４とに挟持された状態で、両者の間にスクロール室１２の外周側の内壁面（以下、外周側内壁面という）１２１ａの一部を形成している。
【００２８】
具体的には、スペーサ部３は、ハウジング本体部２のスクロール室形成部２３の外周側の内壁面２３１に沿って配置されている。
また、スペーサ部３のバックプレート４側の表面３０１は、バックプレート４のハウジング本体部２側の表面４０１によって軸方向に押圧された状態となっている。また、スペーサ部３のハウジング本体部２側の表面３０２は、ハウジング本体部２のスクロール室形成部２３の当接面２３２に対して軸方向に当接している。
【００２９】
また、スペーサ部３の内周面３０３は、スクロール室１２の内壁面１２１のうち、外周側内壁面１２１ａの一部を形成しており、インペラ５の回転中心軸Ｘを含む断面において凹状となる凹状曲面を有している。また、スペーサ部３の内周面３０３は、スクロール室形成部２３とバックプレート４のハウジング本体部２側の表面４０１とを滑らかに連結している。
【００３０】
同図に示すごとく、ハウジング本体部２のスクロール室形成部２３、スペーサ部３及びバックプレート４によって形成されたスクロール室１２は、外部出口１２０（図３参照）に向かって外周側内壁面１２１ａがインペラ５の回転中心軸Ｘから徐々に遠ざかるように（スクロール室１２の外周側内壁面１２１ａとインペラ５の回転中心軸Ｘとの間の距離Ｌ（図２参照）が徐々に大きくなるように）、かつ断面積が徐々に大きくなるように構成されている。
【００３１】
図３に示すごとく、スペーサ部３におけるスクロール室１２の外部出口１２０近傍部分には、その外部出口１２０の方向に沿って切り込まれるように形成したスリット部３１が設けられている。
図４（ａ）に示すごとく、ハウジング本体部２のスクロール室形成部２３の当接面２３２には、凹形状の係合部２３３が設けられている。また、図４（ｂ）に示すごとく、スペーサ部３のハウジング本体部２側の表面３０２には、スペーサ部３の周方向位置を決定するための凸形状のスペーサ位置決め部３２が設けられている。スペーサ部３のスペーサ位置決め部３２は、スクロール室形成部２３の係合部２３３に係合している。これにより、スペーサ部３がスクロール室形成部２３に対して固定されている。
【００３２】
図１に示すごとく、インペラ５は、ハウジング本体部２のシュラウド部２２の内周側に配置されており、回転軸５０を中心に回転可能に取り付けられている。また、インペラ５は、ハブ５１の外周面から周方向に並ぶ複数のブレード５２を突出させている。複数のブレード５２は、ハウジング本体部２のシュラウド部２２のシュラウド面２２１に対向して配置されている。
【００３３】
同図に示すごとく、上記構成のコンプレッサハウジング１を有するコンプレッサ８においては、インペラ５の回転により、吸気口１１から吸気通路２２０を介してインペラ５へと空気Ａ１が吸い込まれる。また、インペラ５のブレード５１によって加速され、インペラ５から吐き出された空気Ａ２は、ディフューザ部１３において昇圧され、スクロール室１２へと送り込まれる。また、スクロール室１２に導入された空気Ａ３は、スペーサ部３の内周面３０３を含む外周側内壁面１２１ａに接触し、スクロール室１２内を周方向に流れ、外部出口１２０（図３参照）から排出される。
【００３４】
次に、本例のコンプレッサハウジング１の製造方法について説明する。
本例のコンプレッサハウジング１を製造するに当たっては、まず、吸気口形成部２１、シュラウド部２２及びスクロール室形成部２３を有するハウジング本体部２（図１、図２参照）をダイキャストにより一体的に一部品として成形する。
【００３５】
次いで、図５に示すごとく、ハウジング本体部２に対してスペーサ部３を軸方向に挿入する。具体的には、ハウジング本体部２のスクロール室形成部２３内にスペーサ部３を軸方向に挿入し、スクロール室形成部２３の外周側の内壁面２３１に沿って配置する。このとき、スペーサ部３のスペーサ位置決め部３２（図４（ｂ））をスクロール室形成部２３の係合部２３３（図４（ａ））に係合させる。これにより、スペーサ部３をハウジング本体部２のスクロール室形成部２３に対して固定する。
【００３６】
次いで、図６に示すごとく、ハウジング本体部２のシュラウド部２２のディフューザ面２２２に対向する位置に、コンプレッサハウジング１の吸気側とは反対の側を覆うようにバックプレート４を配置する。このとき、バックプレート４の表面４０１によってスペーサ部３の表面３０１を軸方向に押圧し、スペーサ部３の表面３０２をハウジング本体部２のスクロール室形成部２３の当接面２３２に対して軸方向に当接させる。これにより、樹脂からなるスペーサ部３は、変形した状態でハウジング本体部２のスクロール室形成部２３とバックプレート４との間に隙間を形成することなく配置される。
以上により、図２に示すコンプレッサハウジング１を得る。
【００３７】
次に、本例のコンプレッサハウジング１における作用効果について説明する。
本例のコンプレッサハウジング１は、ハウジング本体部２のスクロール室形成部２３とバックプレート４との間に、スクロール室１２の外周側内壁面１２１ａの一部を形成するスペーサ部３を備えている。ここで、スクロール室１２の外周側内壁面１２１ａは、スクロール室１２に導入された空気Ａ３が接触する面であるため、その形状を空気Ａ３の流れがスムーズになるような形状にする必要がある。しかしながら、本例では、外周側内壁面１２１ａの一部を形成するスペーサ部３がハウジング本体部２ともバックプレート４とも別体の部品であるため、外周側内壁面１２１ａの形状を所望の形状にしやすい。
【００３８】
これにより、スペーサ部３にスクロール室１２の外周側内壁面１２１ａに接触する空気Ａ３の流れをスムーズにする形状を容易に形成することができ、ハウジング本体部２やバックプレート４に上記のような形状を設ける必要は特になくなる。その結果、本例のように、ハウジング本体部２を型抜き可能な形状とし、生産性に優れた安価なダイキャスト等により成形することができるし、バックプレート４のハウジング本体部２側の表面４０１を旋盤等にて容易に加工することもできる。よって、コンプレッサハウジング１全体を生産性に優れた、安価なものとすることができる。
【００３９】
特に、スクロール室１２は、機能上の観点から、本例のように外部出口１２０に向かって外周側内壁面１２１ａがインペラ５の回転中心軸Ｘから徐々に遠ざかるように、かつ断面積が徐々に大きくなるように構成されている。すなわち、スクロール室１２の外周側内壁面１２１ａの形状は、インペラ５の回転中心軸Ｘに対して非対称形状となっている。それ故、外周側内壁面１２１ａの一部をバックプレート４に形成しようとすると旋盤等による加工が困難となる。しかしながら、本例では、スクロール室１２が上記のような非対称形状であっても、スペーサ部３を利用することによってその非対称形状を容易に実現することができる。これにより、コンプレッサ８の性能を十分に確保することができる。
【００４０】
また、本例では、ハウジング本体部２は、吸気口形成部２１、シュラウド部２２及びスクロール室形成部２３を生産性に優れた安価なダイキャストにより一体的に成形した一部品で構成されている。そのため、コンプレッサハウジング１全体の部品点数を少なくすることができると共に、より一層の生産性向上、コスト削減を図ることができる。
【００４１】
また、スペーサ部３は、バックプレート４に押圧された状態で、ハウジング本体部２のスクロール室形成部２３に当接しており、かつ、ハウジング本体部２のスクロール室形成部２３よりも剛性が低い。そのため、スペーサ部３がハウジング本体部２のスクロール室形成部２３に押し付けられた状態で配置されることにより、両者の間に隙間が形成されることを防止することができる。これにより、上記両者の間に隙間が形成されることによるスクロール室１２に導入された空気Ａ３の流れの悪化、それに伴うコンプレッサ８の性能低下等を防止することができる。
【００４２】
また、スペーサ部３は、バックプレート４よりも剛性が低い。そのため、スペーサ部３がバックプレート４によって押圧された状態で配置されることにより、両者の間に隙間が形成されることを防止することができる。これにより、上記両者の間に隙間が形成されることによるスクロール室１２に導入された空気Ａ３の流れの悪化、それに伴うコンプレッサ８の性能低下等を防止することができる。
【００４３】
また、スペーサ部３は、ナイロン６６（登録商標）樹脂からなる。そのため、スペーサ部３を変形させることにより、スペーサ部３とハウジング本体部２のスクロール室形成部２３との間、スペーサ部３とバックプレート４との間に隙間が形成されることをより一層防止することができる。
【００４４】
また、スペーサ部３におけるスクロール室１２の外部出口１２０近傍部分には、外部出口１２０の方向に沿って切り込まれるように形成したスリット部３１が設けられている。ここで、スペーサ部３におけるスクロール室１２の外部出口１２０近傍部分は、薄肉となり、成形性が悪化するという問題がある。そのため、スリット部３を設けることにより、この問題を解消することができる。
また、スペーサ部３を例えば本例のように樹脂等により構成した場合には、スリット部３１を設けることによってスペーサ部３の形状の微調整が可能となり、ハウジング本体部２への組み付け時において位置合わせを精度良く行うことができると共に、張力を持たせることにより脱落等を防止することができる。また、スリット部３によって熱応力、組み付け応力等を緩和することができ、変形やクリープ等を抑制することができる。
【００４５】
また、スペーサ部３には、周方向位置を決定するためのスペーサ位置決め部３２が設けられており、スペーサ位置決め部３２は、ハウジング本体部２のスクロール室形成部２３の内壁面２３１に設けられた係合部２３３に係合している。そのため、ハウジング本体部２のスクロール室形成部２３内に挿入配置されたスペーサ部３を所定の位置に確実に固定することができる。
【００４６】
このように、本例によれば、生産性に優れ、安価でありながら、コンプレッサ８の性能を十分に確保することができる過給機用のコンプレッサハウジング１を提供することができる。
【符号の説明】
【００４７】
１  コンプレッサハウジング
１１  吸気口
１２  スクロール室
１２１ａ  外周側内壁面
２  ハウジング本体部
２１  吸気口形成部
２２  シュラウド部
２２１  シュラウド面
２２２  ディフューザ面
２３  スクロール室形成部
３  スペーサ部
４  バックプレート
５  インペラ
Ｘ  回転中心軸
【図１】
2014058888.tif 000003
【図２】
2014058888.tif 000004
【図３】
2014058888.tif 000005
【図４】
2014058888.tif 000006
【図５】
2014058888.tif 000007
【図６】
2014058888.tif 000008
【図７】
2014058888.tif 000009
【図８】
2014058888.tif 000010